(57)【要約】  【課題】スピーカやクッション材の取り外しが簡単で、又、反復使用が可能な取付構造にする。  【解決手段】スピーカ２０をカバー部１７の内面に向けた状態にして、該スピーカ２０をスピーカ収納部１９内に配置した後から、係止溝２４と係合爪部２７ｃ、及び係止爪２３と係合爪２７ｂをそれぞれ取り外し可能に係合させてスピーカ押さえ部材２７をスピーカ収納ケース１１に取り付け、この取り付けたスピーカ押さえ部材２７でスピーカ２０をカバー部１７の内面に押し付けて保持する構造にした。【選択図】図３
2006074092.tif 000002
【特許請求の範囲】
【請求項１】
耳に添着される前側部分に外部へ通じる音孔を設けたカバー部を有していると共に、該カバー部の内側にスピーカ収納部を設けたスピーカ収納ケースを備え、前記スピーカ収納部内に前記カバー部の内面に向けてスピーカを配設してなるヘッドセットのスピーカ取り付け構造に於いて、
前記スピーカ収納ケース内に設けた係止部と、
前記係止部と係脱可能な被係合部を有し、且つ、前記スピーカの背後より該スピーカを前記カバー部の内面に押し付ける押圧力を付与した状態で、前記被係合部を前記係止部に係合させて前記スピーカ収納ケースに装着されるスピーカ押さえ部材とを備え、
前記カバー部と前記スピーカ押さえ部材とで前記スピーカを保持してなることを特徴とするヘッドセットのスピーカ取付構造。
【請求項２】
上記被係合部を上記スピーカ押さえ部材の相対向する両端部分にそれぞれ設けていると共に、前記係止部を上記スピーカ押さえ部材の前記被係合部に各々対応させて設け、且つ、前記係止部の一方に係止溝を設け、他方に上記スピーカ収納部内に向かって突出された突出状の係止爪を設けた請求項１記載のヘッドセットのスピーカ取付構造。
【請求項３】
上記係止溝を設けた一方の係止部に、前記スピーカから導出されるリード線を案内し、且つ、該リード線の案内と同時に前記スピーカの回動を規制するガイド部を設けた請求項１又は２記載のヘッドセットのスピーカ取付構造。
【請求項４】
上記スピーカ押さえ部材は、弾性材で形成されていると共に、上記係止部に対して上記被係合部を押し付けると、前記被係合部が前記係止部の背面に係合するように形成した請求項１，２又は３記載のヘッドセットのスピーカ取付構造。
【請求項５】
上記スピーカ押さえ部材は、弾性材で形成されていると共に、上記係止部の上記係止爪と係合可能な係合孔を有する被係合片を備え、上記被係合片を上記係止部に対し押し付けて、前記係合孔内に前記係止爪を係合するように形成した請求項２記載のヘッドセットのスピーカ取付構造。
【請求項６】
上記スピーカ収納ケースの一部を突出させて、耳穴内に挿入可能なイヤホーン部を設け、該イヤホーン部に上記スピーカ収納部を設けていると共に、上記スピーカ及び上記カバー部を前記耳穴の内部に向けて斜めに設けてなる請求項１，２，３，４，又は５記載のヘッドセットのスピーカ取付構造。
【発明の詳細な説明】
【技術分野】
【０００１】
本発明は、ヘッドセットのスピーカ取付構造に関するものであり、特に、耳に添着されるスピーカを内蔵したヘッドセットのスピーカ取付構造に関するものである。
【背景技術】
【０００２】
図７に、従来より知られるスピーカを内蔵したヘッドセットのスピーカ取付構造の一例を示す。一般に、ヘッドセットは、左右のユニットと、該左右のユニットとの間を接続している渡りコード、及び該渡りコードと音響機器本体との間を接続している接続コード等で構成されているが、図７では、説明を簡略化するために片側のユニット５０だけを示している。そのユニット５０は、スピーカ５１を収納する樹脂製のスピーカ収納ケース５２を有する。
【０００３】
そのスピーカ収納ケース５２には、耳に添着される添着部分５３に、外部へ通じる音孔５４，５４…が複数設けられている。又、添着部分５３の外側にはゴミの侵入を防止するための金網５５が装着されており、内側にはスピーカ５１を収納し、且つ、該スピーカ５１をスピーカ収納ケース５２に位置決めするためのスピーカ収納部５６が形成されている。
【０００４】
該スピーカ収納部５６内には、添着部分５３との間にクッション材５７を介してスピーカ５１が取り付けられている。ここでのクッション材５７と添着部分５３の内面との固定、及び、クッション材５７とスピーカ５１との固定は、クッション材５７の両面に貼られた両面接着テープ５８でそれぞれ固定されている。又、図中、符号５９はスピーカ収納ケース５２内に配設されたバッテリである。
【０００５】
尚、従来のヘッドセットのスピーカ取付構造は、これ以外にも例えば、特許文献１，特許文献２等の構造も知られている。
【特許文献１】特開２００４−１１２３４０号公報
【特許文献２】実用新案登録第２５５１４９４号公報
【発明の開示】
【発明が解決しようとする課題】
【０００６】
ところで、図７に示した従来の構造では、スピーカ５１をクッション材５７の両面に貼られた両面接着テープ５８で固定しているので、保守修理やリサイクルのためにスピーカ５１を取り外す必要が生じたときに、両面接着テープ５８を剥がさなければならないので、取り外しにくい。又、保守修理等で、スピーカ５１を一度取り外し、再度取り付けるような場合、両面接着テープ５８やクッション材５７の反復使用が難しいという問題点があった。
【０００７】
又、添着部分５３の外面は平面であり、添着部分５３は耳穴の外側に添着される構造になっているので、外部に対しての音漏れが発生し易い。更に、スピーカ５１と耳穴内の鼓膜との間の距離が大きいので、音響特性の損失も大きかった。
【０００８】
そこで、スピーカやクッション材の取り外しが簡単で、又、反復使用が可能な構造にするために解決すべき技術的課題が生じてくるのであり、本発明はこの課題を解決することを目的とする。
【課題を解決するための手段】
【０００９】
本発明は上記目的を達成するために提案されたものであり、請求項１記載の発明は、耳に添着される前側部分に外部へ通じる音孔を設けたカバー部を有していると共に、該カバー部の内側にスピーカ収納部を設けたスピーカ収納ケースを備え、前記スピーカ収納部内に前記カバー部の内面に向けてスピーカを配設してなるヘッドセットのスピーカ取り付け構造に於いて、前記スピーカ収納ケース内に設けた係止部と、前記係止部と係脱可能な被係合部を有し、且つ、前記スピーカの背後より該スピーカを前記カバー部の内面に押し付ける押圧力を付与した状態で、前記被係合部を前記係止部に係合させて前記スピーカ収納ケースに装着されるスピーカ押さえ部材とを備え、前記カバー部と前記スピーカ押さえ部材とで前記スピーカを保持してなるヘッドセットのスピーカ取付構造を提供する。
【００１０】
この構成によれば、スピーカ収納部内にスピーカを前記カバー部内面に向けて配置し、この後から被係合部を係止部に係合させて、スピーカ収納ケースにスピーカ押さえ部材を取り付けると、スピーカがカバー部の内面に押圧された状態でスピーカ収納部内に装着される。反対に、スピーカ収納部内に装着されたスピーカを取り外す場合は、係合部と被係合部との係合を外すと、スピーカ押さえ部材をスピーカ収納ケースから取り外して、スピーカを取り出すことができる。従って、両面接着テープ等は使用することなく、カバー部の内面にスピーカをスピーカ押さえ部材で押さえて止めているだけなので、反復使用が可能になる。
【００１１】
請求項２記載の発明は、上記被係合部を上記スピーカ押さえ部材の相対向する両端部分にそれぞれ設けていると共に、前記係止部を上記スピーカ押さえ部材の前記被係合部に各々対応させて設け、且つ、前記係止部の一方に係止溝を設け、他方に上記スピーカ収納部内に向かって突出された突出状の係止爪を設けたヘッドセットのスピーカ取付構造を提供する。
【００１２】
この構成によれば、スピーカ収納部の係止溝に、スピーカ押さえ部材の被係合部を係合させ、更にスピーカ収納部の係止爪にスピーカ押さえ部材の被係合部を係合させると、スピーカ押さえ部材がスピーカ収納部に装着される。
【００１３】
請求項３記載の発明は、上記係止溝を設けた一方の係止部に、前記スピーカから導出されるリード線を案内し、且つ、該リード線の案内と同時に前記スピーカの回動を規制するガイド部を設けたヘッドセットのスピーカ取付構造を提供することにある。
【００１４】
この構成によれば、スピーカから導出されたリード線をガイド部により案内させると、スピーカの回動を規制した状態で、該スピーカがスピーカ収納部に取り付けられる。
【００１５】
請求項４記載の発明は、上記スピーカ押さえ部材は、弾性材で形成されていると共に、上記係止部に対して上記被係合部を押し付けると、前記被係合部が前記係止部の背面に係合するように形成したヘッドセットのスピーカ取付構造を提供することにある。
【００１６】
この構成によれば、スピーカ押さえ部材の被係合部をスピーカ収納部側の係止部に対し押し付けると、被係合部が所定の位置に移動するまでは、スピーカ押さえ部材の弾性変形を伴って、被係合部が係止部に対して逃がされながら移動し、所定の位置に移動するとスピーカ押さえ部材の弾性復帰を伴って被係合部が係止部の背面に係合され、スピーカ押さえ部材がスピーカ収納部に装着される。
【００１７】
請求項５記載の発明は、上記スピーカ押さえ部材は、弾性材で形成されていると共に、上記係止部の上記係止爪と係合可能な係合孔を有する被係合片を備え、上記被係合片を上記係止部に対し押し付けて、前記係合孔内に前記係止爪を係合するように形成したヘッドセットのスピーカ取付構造を提供する。
【００１８】
この構成によれば、スピーカ押さえ部材の被係合部をスピーカ収納部側の係止部に対して押し付けると、被係合部が弾性変形しながら一時的に係止部に対して逃がされた状態で移動し、前記係止部に前記係合孔が対応すると、被係合片が弾性復帰され、前記係止爪が前記係止孔内に係合されて、スピーカ押さえ部材がスピーカ収納部に装着される。
【００１９】
請求項６記載の発明は、上記スピーカ収納ケースの一部を突出させて、耳穴内に挿入可能なイヤホーン部を設け、該イヤホーン部に上記スピーカ収納部を設けていると共に、上記スピーカ及び上記カバー部を前記耳穴の内部に向けて斜めに設けてなるヘッドセットのスピーカ取付構造を提供する。
【００２０】
この構成によれば、スピーカ収納部をイヤホーン部と共に耳穴内に挿入して使用可能なヘッドセットが得られる。又、耳穴内にイヤホーン部と共に挿入されたスピーカ収納部は、スピーカ及びカバー部が耳穴内部に向いた状態になる。
【発明の効果】
【００２１】
請求項１に記載の発明は、両面接着テープ等は使用することなく、取り外し可能なスピーカ押さえ部材により、スピーカをカバー部の内面に押さえ付けて止めているだけなので、反復使用が可能で、保守作業等が簡単になる。又、リサイクル性も向上するという利点がある。
【００２２】
請求項２に記載の発明は、スピーカ収納部の係止溝とスピーカ押さえ部材の被係合部、及びスピーカ収納部の係止爪とスピーカ押さえ部材の被係合部との係合を用いて、スピーカ押さえ部材をスピーカ収納部に簡単に取り付けることができるので、請求項１記載の発明の効果に加えて、組立時の作業性が向上する。
【００２３】
請求項３に記載の発明は、スピーカの回動を規制するガイド部を用いて、スピーカをスピーカ収納部内の所定の位置に位置決めさせた状態で簡単に取り付けることができるので、請求項１又は２記載の発明の効果に加えて、更に作業性が向上する。
【００２４】
請求項４記載の発明は、スピーカ押さえ部材をスピーカ収納部側に対し押し付けるだけで、スピーカ押さえ部材をスピーカ収納部内に取り付けることができるので、請求項１，２又は３記載の発明の効果に加えて、更に作業性が向上する。
【００２５】
請求項５記載の発明は、スピーカ押さえ部材をスピーカ収納部側に対し押し付けるだけで、スピーカ押さえ部材をスピーカ収納部に対して簡単に取り付けることができるので、請求項２記載の発明の効果に加えて、更に作業性が向上する。
【００２６】
請求項６記載の発明は、スピーカ収納部をイヤホーン部と共に耳穴内に挿入して使用可能するので、請求項１，２，３，４又は５記載の発明の効果に加えて、音響特性を向上させることができる。又、耳穴内にイヤホーン部と共に挿入されたスピーカ収納部は、スピーカ及びカバー部を耳穴内部に向けた状態になるので、更に音響特性を改善することができる。
【発明を実施するための最良の形態】
【００２７】
スピーカやクッション材の取り外しが簡単で、又、反復使用が可能な構造にするという目的を、スピーカ収納部内にスピーカを前記カバー部内面に向けて配置した後から、係止部に被係合部を取り外し可能に係合させてスピーカ押さえ部材をスピーカ収納ケースに取り付け、この取り付けたスピーカ押さえ部材でスピーカをカバー部内面に押し付けて保持するようにして実現した。
【００２８】
（実施の形態１）
以下、本発明の一実施の形態を図面に従って詳述する。図１乃至図４は、本発明のスピーカ取付構造を適用したヘッドセットの第１の実施の形態を示したものである。尚、ヘッドセットは、左右のユニットと、該左右のユニットとの間を接続している渡りコード、及び渡りコードと音響機器本体との間を接続している接続コード等で構成されているが、ここでは説明を簡略化するために片側のユニット１０だけを示している。
【００２９】
そのユニット１０は、スピーカ収納ケース１１と、スピーカ収納ケース１１に取り外し可能に取り付けられたカバー１２とで構成されている。又、スピーカ収納ケース１１とカバー１２との間には、外部と電気的な接続を図る接続コード１３を導出させたコード導出用開口１４が設けられている。
【００３０】
スピーカ収納ケース１１は、合成樹脂材を射出成形して作られており、耳に添着される添着部分１５には、その添着部分１５の一部を外部に突出させた状態にして、イヤホーン部１６が設けられている。このイヤホーン部１６は、内部が空洞で、且つ、前面が閉じられた概略短円筒状に形成され、ユーザの耳穴内に挿入可能になっている。又、イヤホーン部１６の前面を閉じているカバー部１７は、イヤホーン部１６が耳穴内に挿入されたときに、耳穴内の内部（例えば鼓膜等）に適合するように傾斜して設けられている。更に、カバー部１７には、音孔１８がイヤホーン部１６の内側と外側とに貫通して設けられている。
【００３１】
一方、イヤホーン部１６の内側の空洞部は、スピーカ収納部１９として形成されている。このスピーカ収納部１９内にはスピーカ２０が配設可能になっており、該カバー部１７の裏面側には凹所状の段部として位置決め保持部２２が形成されている。この位置決め保持部２２は、クッション材２１を介してスピーカ２０を当接させると、このスピーカ２０の向きがカバー部１７の傾斜と略等しい角度で、且つ、カバー部１７と略平行に傾斜されて保持できるようにして設けられている。
【００３２】
又、スピーカ収納部１９には、スピーカ押さえ部材２７を取り付けるための係止部として、内壁上部に係止爪２３が設けられていると共に、内壁下部に係止溝２４が設けられている。更に、係止溝２４の中間部分を横切る状態にして凹溝状に形成されているガイド部２５が前後方向に設けられている。尚、該ガイド部２５の左右方向の幅は、スピーカ２０から導出された複数のリード線２６の幅と略等しく形成されており、該ガイド部２５内を通したリード線２６の左右方向の動きを規制して、スピーカ２０をスピーカ収納部１９内の所定の位置に位置決めできる構造になっている。
【００３３】
スピーカ押さえ部材２７は、合成樹脂材を射出成形して一体に形成されているもので、本体部２７ａと、スピーカ収納部１９の係止爪２３に対応して設けられている係合部としての係合爪２７ｂと、スピーカ収納部１９の係止溝２４に対応して設けられている被係合部としての係合爪部２７ｃと、該係合爪部２７ｃが係止溝２４内に差し込まれる量を規制するための左右一対のストッパ２７ｄ，２７ｄと、左右方向の位置を規制する左右一対の位置規制片２７ｅ，２７ｅを一体に有し、全体に弾性が持たされて変形可能になっている。又、係止爪部２７ｃは、本体部２７ａから断面逆Ｌ字状に屈曲された状態にして延設されていて、その中央に開口２８を設け、該係止爪部２７ｃに於ける部分を特に弾性変形し易く形成してある。尚、図３中に示す符号２９は、スピーカ収納ケース１１内に配置されたバッテリである。
【００３４】
次に、このように構成されたユニット１０の構造に於いて、スピーカ収納部１９内にスピーカ２０を位置決めする手順を説明する。先ず、スピーカ収納部１９内の位置決め保持
部２２に、例えばゴムやスポンジで成るリング状をしたクッション２１を配置し、このクッション材２１にスピーカ２０を添接する。このとき、スピーカ２０から導出されているリード線２６を凹溝状のガイド部２５内に通し、ガイド部２５の左右の側壁とリード線２６との係合により、スピーカ収納部１９内に於けるスピーカ２０の左右方向の回転を規制する。
【００３５】
続いて、スピーカ２０の背後より、スピーカ押さえ部材２７をスピーカ収納部１９に装着する。この装着では、スピーカ押さえ部材２７の係合爪部２７ｃをスピーカ収納部１９の係止溝２４に係合させた後、係合爪２７ｂ側を係止爪２３に押し付ける。この押し付け動作では、スピーカ押さえ部材２７の係合爪部２７ｃがスピーカ収納部１９の係止爪２３を通過し終わるまでは、スピーカ押さえ部材２７の弾性変形を伴って、係合爪部２７ｃが係止爪２３に対して逃げ、通過し終わるとスピーカ押さえ部材２７の弾性復帰によって係合爪部２７ｃが係止爪２３の背面側に係合され、スピーカ押さえ部材２７がスピーカ収納部１９に取り付けられる。又、この取り付けられた状態では、本体部２７ａがスピーカ２０の背面に圧接され、そのスピーカ２０をカバー部１７の内面にクッション材２１を介して押し付けた状態で保持する。図３は、このようにしてスピーカ押さえ部材２７がスピーカ収納部１９に取り付けられ、スピーカ押さえ部材２７でスピーカ２０をカバー部１７の内面に押さえ付けてスピーカ収納部１９に保持した状態を示している。この状態では、スピーカ２０のリード線２６は、係合爪部２７ｃの下側でガイド部２５内を通ってスピーカ押さえ部材２７の背面側に導出されている。
【００３６】
又、保守作業、或いはリサイクル等でスピーカ２０を取り外す必要が生じたときには、スピーカ押さえ部材２７を弾性変形させて、係止爪２３と係合爪２７ｂの係合、及び係止溝２４と係合爪２７ｃの係合を外すと、スピーカ押さえ部材２７がスピーカ収納部１９より外れ、更にスピーカ２０及びクッション材２１を取り外すことができる。
【００３７】
従って、この第１の実施の形態に於けるスピーカの取付構造では、両面接着テープ等は使用せずに、取り外し可能なスピーカ押さえ部材２７でスピーカ２０をカバー部１７の内面に押さえて止めているだけであるから、反復使用が可能であって、保守作業等も簡単になる。更に、リサイクルもし易くなる。又、スピーカ押さえ部材２７の取り付けも、下端側の係合爪部２７ｃを係止溝２４に係合させて、上端側の係合爪部２７ｃを係止爪２３に押し付けるだけで簡単に取り付けることができる。更に、スピーカ収納部１９を形成しているイヤホーン部１６を耳穴内に挿入して使用可能な構造になっているので、スピーカ２０及び音孔１８が耳穴の奥に配置され、音響特性を向上させることができる。又、スピーカ収納部１９（イヤホーン部１６）は、耳穴内に挿入されたとき、スピーカ２０及びカバー部１７が耳穴奥部に向いた状態になるので、更に音響特性を改善することができる。
【００３８】
（実施の形態２）
次に、本発明の第２の実施の形態に於けるスピーカ取付構造について図５及び図６を参照して説明する。本実施の形態２に於けるスピーカ取付構造の構成は、図１乃至図４に示したスピーカ押さえ部材２７の構成の一部に変更を加えたもので、他の構成は図１乃至図４と同一であるから、同じ部材には同じ符号を付して重複した説明は省略する。
【００３９】
図５及び図６に示すスピーカ押さえ部材３７は、樹脂材を射出成形して一体に形成されているものである。そのスピーカ押さえ部材３７は、本体部３７ａと、スピーカ収納部１９の係止爪２３に対応して設けられている係合部としての被係合孔３７ｂを有した被係合片３７ｃと、スピーカ収納部１９の係止溝２４に対応して設けられている被係合部としての係合爪部３７ｄと、スピーカ収納凹部１９内に於けるスピーカ押さえ部材３７の左右方向の位置を規制する位置規制片３７ｅとを一体に有し、全体として弾性変形可能になっている。
【００４０】
次に、このように構成されたユニット１０の構造に於いて、スピーカ収納部１９内にスピーカ２０を位置決めする手順を説明する。先ず、スピーカ収納凹部１９内の位置決め保持部２２に例えばゴムやスポンジで成るリング状のクッション２１を配置し、このクッション材２１にスピーカ２０を添接する。このとき、スピーカ２０から導出されているリード線２６をガイド部２５内に通し、このガイド部２５の左右の側壁とリード線２６との係合により、スピーカ収納部１９内に於けるスピーカ２０の左右方向の回転を規制する。
【００４１】
続いて、スピーカ２０の背後より、スピーカ押さえ部材３７をスピーカ収納部１９に装着する。この装着では、スピーカ押さえ部材３７の係合爪部３７ｄをスピーカ収納部１９の係止溝２４に係合させた後、被係合片３７ｃ側を係止爪２３に押し付ける。この押し付け動作では、スピーカ押さえ部材３７の被係合孔３７ｂがスピーカ収納部１９の係止爪２３に対応するまでは、スピーカ押さえ部材３７及び被係合片３７ｃの弾性変形を伴って、被係合片３７ｃが係止爪２３に対して逃がされ、通過し終わるとスピーカ押さえ部材３７及び被係合片３７の弾性復帰によって被係合孔３７ｂに係止爪２３が係合され、スピーカ押さえ部材３７がスピーカ収納部１９に取り付けられる。又、この取り付けられた状態では、本体部３７ａがスピーカ２０の背面に圧接され、そのスピーカ２０をカバー部１７の内面に押し付けた状態で保持する。図５は、このようにしてスピーカ押さえ部材３７がスピーカ収納部１９に取り付けられ、このスピーカ押さえ部材３７でスピーカ２０をカバー部１７の内面に押さえ付けてスピーカ収納部１９に保持した状態を示している。この状態では、スピーカ２０のリード線２６は、係合爪部３７ｄの下側でガイド部２５内を通ってスピーカ押さえ部材２７の背面側に導出されている。
【００４２】
又、保守作業、或いはリサイクル等でスピーカ２０を取り外す必要が生じたときには、スピーカ押さえ部材３７及び被係合片３７ｃを弾性変形させて、係止爪２３と被係合孔３７ｂの係合、及び係止溝２４と係合爪部３７ｄの係合を外すと、スピーカ押さえ部材３７がスピーカ収納部１９より外れ、更にスピーカ２０及びクッション材２１を取り外すことができる。
【００４３】
従って、この第２の実施の形態に於けるスピーカの取付構造でも、両面接着テープ等は使用せずに、取り外し可能なスピーカ押さえ部材３７でスピーカ２０をカバー部１７の内面に押さえて止めているだけなので、反復使用が可能であって、保守作業等も簡単になる。更に、リサイクルもし易くなる。又、スピーカ押さえ部材３７の取り付けも、下端側の係合爪部３７ｄを係止溝２４に係合させて、上端側の係合爪部３７ｄを係止爪２３に押し付けるだけで簡単に取り付けることができる。更に、スピーカ収納部１９を形成しているイヤホーン部１６を耳穴内に挿入して使用可能な構造になっているので、スピーカ２０及び音孔１８が耳穴の奥に配置され、音響特性を向上させることができる。又、スピーカ収納部１９（イヤホーン部１６）は、耳穴内に挿入されたとき、スピーカ２０及びカバー部１７が耳穴奥部を向いた状態になるので、更に音響特性を改善することができることになる。
【００４４】
尚、本発明は、本発明の精神を逸脱しない限り種々の改変を為すことができ、そして、本発明が該改変されたものに及ぶことは当然である。
【図面の簡単な説明】
【００４５】
【図１】本発明に係るスピーカ取付構造を適用したヘッドセットに於ける第１の実施の形態として示すユニットの正面図。
【図２】本発明の第１の実施の形態として示すユニットの側面図。
【図３】図１のＡ−Ａ線矢視拡大断面図。
【図４】本発明の第１の実施の形態として示すスピーカ取付構造の要部分解斜視図。
【図５】本発明の第２の実施の形態として示すユニットの断面図。
【図６】本発明の第２の実施の形態として示すスピーカ取付構造の要部分解斜視図。
【図７】従来のスピーカ取付構造の一例を示す断面図。
【符号の説明】
【００４６】
１０    ユニット
１１    スピーカ収納ケース
１２    カバー
１５    添着部分
１６    イヤホーン部
１７    カバー部
１８    音孔
１９    スピーカ収納部
２０    スピーカ
２１    クッション材
２２    位置決め保持部
２３    係止爪（係止部）
２４    係止溝（係止部）
２５    ガイド部
２６    リード線
２７    スピーカ押さえ部材
２７ａ  本体部
２７ｂ  係合爪（被係合部）
２７ｃ  係合爪部（被係合部）
２７ｄ  ストッパ
２７ｅ  位置規制片
２８    開口
３７    スピーカ押さえ部材
３７ａ  本体部
３７ｂ  被係合孔（被係合部）
３７ｃ  被係合片
３７ｄ  係合爪部（被係合部）
３７ｅ  位置規制片
【図１】
2006074092.tif 000003
【図２】
2006074092.tif 000004
【図３】
2006074092.tif 000005
【図４】
2006074092.tif 000006
【図５】
2006074092.tif 000007
【図６】
2006074092.tif 000008
【図７】
2006074092.tif 000009